(57)【要約】【課題】簡単な構造で被混合物を均一に撹拌する。【解決手段】混合機は、被混合物が供給されるケース１と、このケース１内に水平姿勢で回転できるように配設している回転軸２と、この回転軸２を回転させる駆動機構３と、回転軸２にアーム５を介して連結している金属帯鉄を螺旋状にしてなる外周撹拌材４と、回転軸２またはアーム５に固定されて、回転軸２の回転で外周撹拌材４と反対方向に被混合物を移送する内側撹拌材６とを備える。内側撹拌材６は、外周撹拌材４の内側に配設されてなる複数枚の撹拌プレート７で、複数の撹拌プレート７を回転軸２に対して傾斜する姿勢で固定して、回転軸２の回転で被混合物を移送する。【選択図】図３
2007260589.tif 000002
【特許請求の範囲】
【請求項１】
被混合物が供給されるケース(1)と、このケース(1)内に水平姿勢で回転できるように配設している回転軸(2)と、この回転軸(2)を回転させる駆動機構(3)と、回転軸(2)にアーム(5)を介して連結している金属帯鉄を螺旋状にしてなる外周撹拌材(4)と、回転軸(2)またはアーム(5)に固定されて、回転軸(2)の回転で外周撹拌材(4)と反対方向に被混合物を移送する内側撹拌材(6)とからなる混合機であって、  内側撹拌材(6)が、外周撹拌材(4)の内側に配設されてなる複数枚の撹拌プレート(7)で、複数の撹拌プレート(7)を回転軸(2)に対して傾斜する姿勢で固定して、回転軸(2)の回転で被混合物を移送するようにしてなることを特徴とする混合機。
【請求項２】
撹拌プレート(7)が半円形、半楕円形、半長円形のいずれかの金属プレートである請求項１に記載される混合機。
【請求項３】
撹拌プレート(7)の直線部分の中央部分を回転軸(2)に固定している請求項２に記載される混合機。
【請求項４】
撹拌プレート(7)が中心部に切欠部(7A)のある半円形、半楕円形、半長円形のいずれかの金属プレートである請求項２に記載される混合機。
【請求項５】
被混合物が供給されるケース(1)と、このケース(1)内に水平姿勢で回転できるように配設している回転軸(2)と、この回転軸(2)を回転させる駆動機構(3)と、回転軸(2)に複数のアーム(5)を介して連結している金属帯鉄を螺旋状にしてなる外周撹拌材(4)と、アーム(5)に固定されて、回転軸(2)の回転で外周撹拌材(4)と反対方向に被混合物を移送する内側撹拌材(6)とからなる混合機であって、
内側撹拌材(6)が、外周撹拌材(4)の内側に配設されてなる複数枚の撹拌プレート(7)で、各撹拌プレート(7)を回転軸(2)に対して傾斜する姿勢で各アーム(5)に固定して、回転軸(2)の回転で被混合物を移送するようにしてなることを特徴とする混合機。
【発明の詳細な説明】
【技術分野】
【０００１】
本発明は、茸を栽培する培地の混合機に関する。
【背景技術】
【０００２】
茸栽培の培地として、鋸屑に栄養剤を混合したものが使用される。この培地は、鋸屑と栄養剤を混合機に入れて撹拌して調整される。従来の混合機は、図１に示すように、ケース２１内に水平に回転軸２２を設けて、この回転軸２２に螺旋状の撹拌材２４を固定している。螺旋状の撹拌材２４は、回転軸２２の回転で、被混合物である鋸屑と栄養材を、回転軸２２の中央に向かって移送しながら撹拌する。この混合機は、被混合物の鋸屑と栄養材を、図において右側と左側とで混合できない。それは、図１に示すように、被混合物が回転軸２２の両側で別々に撹拌されるからである。このため、この混合機を使用して、鋸屑に栄養材を添加して撹拌する場合、鋸屑を供給しているケースに、栄養材をケースの開口部から均一に供給する必要があり、右側と左側とで栄養材の添加量に斑があると、鋸屑と栄養材を均一に混合できなくなる。
【０００３】
このような欠点を解消するために、回転軸の軸方向に往復するように被混合物を移送する混合機が開発されている。（特許文献１参照）
【特許文献１】特開２００１−１２９３７８号公報
【発明の開示】
【発明が解決しようとする課題】
【０００４】
この公報に記載される混合機は、図２に示すように、内面に螺旋フィン３４を固定している回転ドラム３１を備える。回転ドラム３１は車輪３３に載せられて回転される。回転ドラム３１の中心には、水平に回転軸３２を設けている。回転軸３２には、回転ドラム３１の螺旋フィン３４と反対方向に被混合物を移送する螺旋状の逆移送フィン３５を固定している。この混合機は、回転ドラム３１の螺旋状フィン３４と回転軸３２の逆移送フィン３５とで被混合物を反対方向に移送する。このため、たとえば鋸屑と栄養材等の被混合物を移送しながら、均一に撹拌できる。
【０００５】
ただ、この構造の混合機は、構造が複雑で製造コストが高くなる欠点がある。それは、回転ドラムを車輪で回転させると共に、回転軸には螺旋状の逆移送フィンを固定しているので、これらの製作に手間がかかって製造コストが高くなる。
【０００６】
本発明は、さらにこの欠点を解決することを目的に開発されたものである。本発明の重要な目的は、簡単な構造で被混合物を均一に撹拌できる混合機を提供することにある。
【課題を解決するための手段】
【０００７】
本発明の混合機は、前述の目的を達成するために以下の構成を備える。
混合機は、被混合物が供給されるケース１と、このケース１内に水平姿勢で回転できるように配設している回転軸２と、この回転軸２を回転させる駆動機構３と、回転軸２にアーム５を介して連結している金属帯鉄を螺旋状にしてなる外周撹拌材４と、回転軸２またはアーム５に固定されて、回転軸２の回転で外周撹拌材４と反対方向に被混合物を移送する内側撹拌材６とを備える。内側撹拌材６は、外周撹拌材４の内側に配設されてなる複数枚の撹拌プレート７で、複数の撹拌プレート７を回転軸２に対して傾斜する姿勢で固定して、回転軸２の回転で被混合物を移送する。
【０００８】
本発明の混合機は、撹拌プレート７を半円形、半楕円形、半長円形のいずれかの金属プレートとすることができる。さらに、この混合機は、撹拌プレート７の直線部分の中央部分を回転軸２に固定することができる。さらに、本発明の混合機は、撹拌プレート７を、中心部に切欠部１４のある半円形、半楕円形、半長円形のいずれかの金属プレートとすることができる。
【０００９】
さらに、本発明の請求項５の混合機は、被混合物が供給されるケース１と、このケース１内に水平姿勢で回転できるように配設している回転軸２と、この回転軸２を回転させる駆動機構３と、回転軸２に複数のアーム５を介して連結している金属帯鉄を螺旋状にしてなる外周撹拌材４と、アーム５に固定されて、回転軸２の回転で外周撹拌材４と反対方向に被混合物を移送する内側撹拌材６とを備える。内側撹拌材６は、外周撹拌材４の内側に配設されてなる複数枚の撹拌プレート７で、各撹拌プレート７を回転軸２に対して傾斜する姿勢で各アームに固定して、回転軸２の回転で被混合物を移送する。
【発明の効果】
【００１０】
本発明の混合機は、全体の構造を極めて簡単な構造としながら、被混合物を均一に撹拌できる特徴がある。それは、本発明の混合機が、外周撹拌材を回転させる回転軸、または外周撹拌材を回転軸に連結するアームに、複数枚の撹拌プレートからなる内側撹拌材を傾斜するように固定しており、この内側撹拌材で被混合物を外周撹拌材の反対側に移送して、被混合物を均一に混合できるからである。すなわち、本発明の混合機は、ケースを回転させない図１に示す簡単な構造の従来の混合機に、複数枚の撹拌プレートを固定する簡単な構造で、被混合物を均一に混合できる特徴を実現する。このため、この混合機を使用して、たとえば鋸屑と栄養材のように、複数の被混合物を混合して撹拌する場合、複数の被混合物をケースに均一に供給する必要がなく、供給された全ての被混合物を均一に混合して撹拌できる特徴が実現される。
【発明を実施するための最良の形態】
【００１１】
以下、本発明の実施例を図面に基づいて説明する。ただし、以下に示す実施例は、本発明の技術思想を具体化するための混合機を例示するものであって、本発明は混合機を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
本発明の混合機は、茸栽培の培地の製造に最適であるが、本発明は混合機の用途を培地の製造に特定しない。本発明の混合機は、たとえば農作物を栽培する資材の製造、あるいは生ゴミ処理等に使用できる。
【００１４】
図３ないし図５に示す混合機は、被混合物を供給するケース１と、このケース１内に水平姿勢で回転できるように配設している回転軸２と、この回転軸２を回転させる駆動機構３と、回転軸２にアーム５を介して連結している外周撹拌材４と、回転軸２に固定されて、回転軸２の回転で外周撹拌材４と反対方向に被混合物を移送する内側撹拌材６とを備える。
【００１５】
ケース１は、平面形状を長方形とする箱形で上方を開口している。ケース１の底板１Ａは、図４に示すように、半円筒状に湾曲している。さらに、ケース１は、図３において底部の左端部に、撹拌された被混合物の排出口８を設けている。排出口８は、ケース１の端板１Ｂから中央に遍在した位置に開口している。排出口８は、好ましくはケース１の端板１Ｂから１０ｃｍ〜５０ｃｍ離れた位置に開口される。排出口８は開閉蓋９で閉塞している。開閉蓋９は、被混合物を撹拌するときに排出口８を閉塞し、撹拌された被混合物を排出するときに排出口８を開いて、ここから被混合物を排出する。
【００１６】
回転軸２は、軸受１０を介してケース１の両端の端板１Ｂに回転できるように連結している。回転軸２は、ケース１の半円筒状の底板１Ａの中心に配設される。回転軸２に固定している外周撹拌材４を、ケース１の底面に接近して移動させるためである。
【００１７】
回転軸２は、端板１Ｂから突出する部分を駆動機構３に連結している。駆動機構３はモーター１１と減速機１２を備える。モーター１１は減速機１２を介して回転軸２を回転させる。駆動機構３が回転軸２を回転させる回転速度は、混合機の大きさや被混合物の種類で最適値に設定される。たとえば、茸栽培の培地として鋸屑と栄養材を撹拌する混合機は、回転軸２の回転速度を３〜１０ｒｐｍ、好ましくは、５〜８ｒｐｍとする。農作物を栽培する資材を撹拌する混合機は、２〜１０ｒｐｍとする。生ゴミ処理の混合機は、１〜５ｒｐｍの回転速度で回転軸２を回転させる。さらに、生ゴミ処理の混合機は、連続して回転軸２を回転させ、あるいは断続的に回転軸２を回転させる。
【００１８】
外周撹拌材４は、金属帯鉄を螺旋状に加工したもので、アーム５を介して回転軸２に連結している。外周撹拌材４は、底板１Ａの内面に接近して、好ましくは、底板１Ａの内面との間隔を好ましくは５ｍｍ以下となる半径の螺旋状としている。外周撹拌材４は、たとえば幅を１３〜４０ｍｍ、厚さを９〜１６ｍｍとする金属帯鉄を螺旋状に加工したものである。金属帯鉄は、幅の広い面が底板１Ａに対向するように、螺旋状に加工されて回転軸２に固定される。ただ、幅の狭い面が底板に対向する螺旋状に加工して回転軸に固定することもできる。
【００１９】
外周撹拌材４は、回転軸２に回転されて、被混合物を排出口８に向かって移動させる。図３と図５に示す外周撹拌材４は、回転軸２が図の矢印Ａで示す方向に回転されて、被混合物を排出口８に向かって、矢印Ｂで示す方向に移動させる。したがって、外周撹拌材４は、図３において、排出口８の右側と左側では逆ピッチ、例えば排出口８の右側を左ネジ方向の螺旋状として排出口８の左側を右ネジ方向の螺旋状とし、あるいは、排出口の右側を右ネジ方向の螺旋状として排出口の左側を左ネジ方向の螺旋状として、回転軸２に回転されて、被混合物を排出口８に向かって移送するようにする。
【００２０】
アーム５は、一端を回転軸２に、他端を外周撹拌材４に連結して、外周撹拌材４を回転軸２に連結する。図に示すアーム５は金属ロッドで、両端を溶接して回転軸２と外周撹拌材４とに固定している。図の回転軸２は、垂直方向に突出して、複数のアーム５を固定している。複数のアーム５は、回転軸２との連結位置を軸方向にずらしながら、回転軸２に対して放射状に固定している。さらに、図のアーム５は、側面に金属板１３を固定しており、この金属板１３を回転軸２にも固定している。図に示す金属板１３は、短冊状のプレートで、先端に向かって幅がやや狭くなる形状としている。この金属板１３は、側縁をアーム５に、後端縁を回転軸２にそれぞれ溶接して固定している。ただ、金属板は、長方形や三角形等の多角形とすることも、扇形とすることもできる。このように、アーム５と回転軸２に固定される金属板１３は、補強リブとして、アーム５と回転軸２との連結強度を高くできる特長がある。図に示す金属板１３は、アーム５の片側にのみ固定しているが、金属板は、アームの両側に固定することもできる。
【００２１】
さらに、アーム５と回転軸２に固定される金属板１３は、回転軸２によって回転されて、ケース１内の被混合物を撹拌するはたらきもある。金属板１３が、ケース１内の被混合物を押圧しながら回転するからである。図の混合機は、金属板１３を、アーム５の軸と回転軸２の中心軸とを含む面内に配設して、アーム５と回転軸２とに固定している。このように、回転軸２の中心を含む面内に配設される金属板１３は、撹拌時において、被混合物を図３の矢印Ｄで示す方向に掻き上げる作用が大きく、効率よく被混合物を撹拌できる特長がある。ただ、金属板は、回転軸に対して多少傾斜する姿勢で配置することもできる。この金属板は、回転軸に対する傾斜角を調整して、被混合物を軸方向に移送できる。さらに、金属板は、面積や形状を種々に変更して、より効率よく被混合物を撹拌できる。
【００２２】
内側撹拌材６は、外周撹拌材４の内側に配設している複数枚の撹拌プレート７である。図の撹拌プレート７は、金属プレートを半円形に裁断したもので、直線部分の中央部分を回転軸２に溶接して固定している。図の撹拌プレート７は、回転軸２への固定部分に、回転軸２に沿う半円形の切欠を設け、ここに回転軸２を入れ、溶接して固定している。図の撹拌プレート７は、直線部分を回転軸２に固定すると共に、その一部をアーム５に溶接して固定している。アーム５は、外周撹拌材４を回転軸２に連結するもので、この構造は、アーム５を介して撹拌プレート７をしっかりと回転軸２に固定できる。
【００２３】
さらに、内側撹拌材６は、図６と図７に示すように、撹拌プレート７を回転軸２に固定することなく、アーム５のみに固定することもできる。この図に示す撹拌プレート７は、中心部分に半円形ないし半楕円形の切欠部１４を設けており、この切欠部１４に回転軸２を案内している。切欠部１４の内形は、回転軸２の外形よりも大きく、切欠部１４に案内される回転軸２が、撹拌プレート７に接触することなく回転軸２の周囲に隙間ができる状態としている。この構造の内側撹拌材６は、撹拌プレート７を直接に回転軸２に固定しないので、これらの境界部分に被混合物が固着するのを確実に防止しながらスムーズに移送できる特長がある。
【００２４】
内側撹拌材６は、回転軸２に回転されて、外周撹拌材４が被混合物を移送する方向と反対方向に被混合物を移送するように傾斜して回転軸２またはアーム５に固定される。内側撹拌材６は、螺旋状の外周撹拌材４の内側で、被混合物を逆方向に移送する。すなわち、図３と図６において、外周撹拌材４は、被混合物を矢印Ｂで示す方向に移動させ、内側撹拌材６は、被混合物を矢印Ｃで示す方向に移送する。図の内側撹拌材６は、外周撹拌材４の内径の約７３％の外径としている。ただ、本発明の混合機は、内側撹拌材６の外径、正確には回転軸２から最も離れる位置までの距離である最大の外径を、外周撹拌材４の内径の５０％〜８０％、好ましくは６０％〜７５％とする。さらに、図６と図７に示すように、中心部分に切欠部１４を設けてなる撹拌プレート７で構成される内側撹拌材６は、切欠部１４の大きさに応じて内側撹拌材６の外径を大きくして移送量を調整できる。
【００２５】
図の混合機は、隣接する内側撹拌材６を回転軸２の反対側に固定している。複数の内側撹拌材は、必ずしも隣接する内側撹拌材を反対側に固定する必要はなく、たとえば、隣接する内側撹拌材との角度が４５度〜９０度となるように回転軸に固定することもできる。
【００２６】
図の内側撹拌材６は、半円形の金属プレートとするが、内側撹拌材６は必ずしも金属プレートを半円形とする必要はない。内側撹拌材６は長方形や三角形等の多角形とすることもできる。また、楕円や長円形を半分にした半楕円形状や半長円形状とすることもできる。
【００２７】
さらに、図８に示す混合機は、外周撹拌材４の内側に配設される内側撹拌材６を、各アーム５に固定される複数枚の撹拌プレート７で構成している。図の撹拌プレート７は、楕円形の金属プレートを短径方向に裁断した形状としている。この撹拌プレート７は、短径部分を回転軸２に溶接して固定すると共に、長径に沿う部分をアーム５に溶接して固定している。このように、回転軸２とアーム５とに固定される撹拌プレート７は、補強リブとして回転軸２とアーム５の連結強度を強くできる特長がある。
【００２８】
内側撹拌材６は、回転軸２に回転されて、外周撹拌材４が被混合物を移送する方向と反対方向に被混合物を移送するように撹拌プレート７を傾斜してアーム５と回転軸２に固定している。この内側撹拌材６も、螺旋状の外周撹拌材４の内側で、被混合物を逆方向に移送する。すなわち、図８に示す混合機は、回転軸２が図の矢印Ａで示す方向に回転されると、外周撹拌材４が被混合物を矢印Ｂで示す方向に移送し、内側撹拌材６が被混合物を矢印Ｃで示す方向に移送する。
【００２９】
以上の内側撹拌材６は、撹拌プレート７の形状や面積を種々に変更して被混合物の移送量を調整できる。たとえば、撹拌プレートは、円形又は長円形を切断した形状とし、あるいは、長方形、三角形、台形等の多角形とすることもできる。さらに、撹拌プレートは、面積を大きくして移送量を多くし、反対に面積を小さくして移送量を少なくできる。さらにまた、撹拌プレートは、回転軸に対する傾斜角を変更して被混合物の移送量を調整できる。
【００３０】
図８に示す内側撹拌材６は、撹拌プレート７を回転軸２とアーム５の両方に溶接して固定しているが、撹拌プレートは、アームにのみ固定することもできる。この撹拌プレートは、回転軸に直接に固定することなく回転軸から離れた位置に固定して、これらの境界部分に被混合物が固着するのを確実に防止できる特長がある。
【００３１】
さらに、図８に示す内側撹拌材６は、１本のアーム５に１枚の撹拌プレート７を固定しているが、内側撹拌材は、１本のアームに複数枚の撹拌プレートを固定することもできる。この内側撹拌材は、たとえば、アームの両側に撹拌プレートを固定することができ、あるいは、回転軸に接近する位置と回転軸から離れた位置とに撹拌プレートを固定することができる。１本のアームに固定される複数の撹拌プレートは、形状や面積、傾斜角を種々に変更して内側撹拌材の移送量を調整できる。
【図面の簡単な説明】
【００３２】
【図１】従来の混合機の平面図である。
【図２】従来の他の混合機の断面図である。
【図３】本発明の一実施例にかかる混合機の垂直縦断面図である。
【図４】図３に示す混合機の垂直横断面図である。
【図５】図３に示す混合機の内部を示す斜視図である。
【図６】本発明の他の実施例にかかる混合機の垂直縦断面図である。
【図７】図６に示す混合機の垂直横断面図である。
【図８】本発明の他の実施例にかかる混合機の内部を示す斜視図である。
【符号の説明】
【００３３】
１…ケース              １Ａ…底板                １Ｂ…端板
２…回転軸
３…駆動機構
４…外周撹拌材
５…アーム
６…内側撹拌材
７…撹拌プレート
８…排出口
９…開閉蓋
１０…軸受
１１…モーター
１２…減速機
１３…金属板
１４…切欠部
２１…ケース
２２…回転軸
２４…撹拌材
３１…回転ドラム
３２…回転軸
３３…車輪
３４…螺旋フィン
３５…逆移送フィン
【図１】
2007260589.tif 000003
【図２】
2007260589.tif 000004
【図３】
2007260589.tif 000005
【図４】
2007260589.tif 000006
【図５】
2007260589.tif 000007
【図６】
2007260589.tif 000008
【図７】
2007260589.tif 000009
【図８】
2007260589.tif 000010